(57)【要約】  【課題】  移動端末から直接アクセスポイント装置に電波が届かない場合でも注文処理を実行可能であり、店舗の周辺から顧客が容易に注文可能にする。  【解決手段】  注文システム１０は、アクセスポイント装置１２と、中継機能付き移動端末であるナビゲーション装置１４を備える。ナビゲーション装置１４は、アクセスポイント装置１２との通信機能と共に、中継機能付き無線端末間ネットワークであるアドホックネットワーク１６のデータ転送機能を有する。アクセスポイント装置１２は、アドホックネットワーク１６を介して、店舗のメニュー情報をナビゲーション装置１４に提供すると共に、店舗への注文情報をナビゲーション装置１４から受け付ける。ナビゲーション装置１４は、アドホックネットワーク１６を介してメニュー情報を入手して注文情報を返すと共に、メニュー情報および注文情報をアドホックネットワーク１６内で転送する。【選択図】  図１
2005222271.tif 000002
【特許請求の範囲】
【請求項１】
アクセスポイント装置と、前記アクセスポイント装置との通信機能と共に中継機能付き無線端末間ネットワークのデータ転送機能を有する中継機能付き移動端末とを備え、
前記アクセスポイント装置は、前記アクセスポイント装置の周辺の複数の店舗のリストおよび各店舗のメニュー情報を記憶する店舗情報記憶手段と、前記中継機能付き無線端末間ネットワークを介して前記中継機能付き移動端末と通信する送受信手段と、前記複数の店舗にそれぞれ設置された複数の店舗コンピュータと通信する店舗送受信手段と、前記店舗情報記憶手段、前記送受信手段および前記店舗送受信手段を制御する制御手段とを備え、前記制御手段は、前記店舗のリストを前記中継機能付き移動端末に送信すると共に前記中継機能付き移動端末から受信した前記リストから選択された店舗の情報を受け付ける店舗選択受付手段と、選択された店舗に関連づけて記憶されているメニュー情報を前記店舗情報記憶手段から抽出して前記中継機能付き移動端末に送信すると共に前記中継機能付き移動端末から受信した前記メニュー情報から選択されたメニューを表す注文情報を受け付けるメニュー選択受付手段と、前記注文情報を注文先の店舗の店舗コンピュータに転送する処理を行う注文転送手段とを有し、
前記中継機能付き移動端末は、前記中継機能付き無線端末間ネットワークを介して前記アクセスポイント装置と通信するとともに前記中継機能付き無線端末間ネットワークの転送機能を提供する送受信手段と、前記アクセスポイント装置から受信した前記店舗のリストおよび前記メニュー情報を出力する出力手段と、前記店舗のリストからの店舗の選択および前記メニュー情報からのメニューの選択を入力するための入力手段と、選択された店舗を表す店舗選択情報および選択されたメニューを表す注文情報を前記アクセスポイント装置へ送信させる手段と、前記店舗のリスト、前記メニュー情報、前記選択店舗情報および前記注文情報を前記中継機能付き無線端末間ネットワーク内で他の中継機能付き移動端末のために転送する手段とを備えることを特徴とする注文システム。
【請求項２】
アクセスポイント装置と、前記アクセスポイント装置との通信機能と共に中継機能付き無線端末間ネットワークのデータ転送機能を有する中継機能付き移動端末とを備え、
前記アクセスポイント装置は、店舗のメニュー情報を記憶する店舗情報記憶手段と、前記中継機能付き無線端末間ネットワークを介して前記中継機能付き移動端末と通信する送受信手段と、前記店舗情報記憶手段および前記送受信手段を制御する制御手段とを備え、前記制御手段は、前記店舗情報記憶手段から読み出した前記メニュー情報を前記中継機能付き移動端末に送信すると共に前記中継機能付き移動端末から受信した前記メニュー情報から選択されたメニューを表す注文情報を受け付ける処理を行うメニュー選択受付手段を備え、
前記中継機能付き移動端末は、前記中継機能付き無線端末間ネットワークを介して前記アクセスポイント装置と通信するとともに前記中継機能付き無線端末間ネットワークの転送機能を提供する送受信手段と、前記アクセスポイント装置から受信した前記メニュー情報を出力する出力手段と、前記メニュー情報からのメニューの選択を入力するための入力手段と、選択されたメニューを表す注文情報を前記アクセスポイント装置へ送信させる手段と、前記メニュー情報および前記注文情報を前記中継機能付き無線端末間ネットワーク内で他の中継機能付き移動端末のために転送する手段とを備えることを特徴とする注文システム。
【請求項３】
アクセスポイント装置と、前記アクセスポイント装置との通信機能と共に中継機能付き無線端末間ネットワークのデータ転送機能を有する中継機能付き移動端末とを備え、
前記アクセスポイント装置は、前記アクセスポイント装置の周辺の複数の店舗にそれぞれ設置される複数の店舗コンピュータへのリンクを提供するリンク提供手段を備え、前記中継機能付き移動端末は、前記中継機能付き無線端末間ネットワークを介して前記アクセスポイント装置に接続され、前記店舗コンピュータは、前記アクセスポイント装置が有するリンクによって前記中継機能付き移動端末からアクセスされ、前記中継機能付き移動端末との間で注文のための情報処理を行う処理手段を有することを特徴とする注文システム。
【請求項４】
アクセスポイント装置と、前記アクセスポイント装置との通信機能と共に中継機能付き無線端末間ネットワークのデータ転送機能を有する中継機能付き移動端末とを備え、
前記アクセスポイント装置は、前記中継機能付き無線端末間ネットワークを介して、店舗のメニュー情報を前記中継機能付き移動端末に提供すると共に、前記店舗への注文情報を前記中継機能付き移動端末から受け付け、
前記中継機能付き移動端末は、前記中継機能付き無線端末間ネットワークを介して前記メニュー情報を入手して前記注文情報を返すと共に、前記メニュー情報および前記注文情報を前記中継機能付き無線端末間ネットワーク内で転送することを特徴とする注文システム。
【請求項５】
前記中継機能付き移動端末はカーナビゲーション装置に備えられていることを特徴とする請求項１ないし４のいずれかに記載の注文システム。
【請求項６】
前記中継機能付き移動端末は、注文先の店舗を経路案内の目的地に設定することを特徴とする請求項５に記載の注文システム。
【請求項７】
前記中継機能付き移動端末は、注文先の店舗を経路案内の経由地に設定することを特徴とする請求項５に記載の注文システム。
【請求項８】
前記中継機能付き移動端末は、注文先の店舗への到着予想時刻を算出し、前記アクセスポイント装置へ送信することを特徴とする請求項５に記載の注文システム。
【請求項９】
前記中継機能付き移動端末は携帯電話端末であることを特徴とする請求項１ないし４のいずれかに記載の注文システム。
【請求項１０】
前記アクセスポイント装置は、中継機能付き無線端末間ネットワークの最大ホップ数を示す情報とともにデータを送出し、前記中継機能付き移動端末は、残りホップ数を示す情報とともにデータを中継機能付き無線端末間ネットワーク内で転送することを特徴とする請求項１ないし９のいずれかに記載の注文システム。
【請求項１１】
前記中継機能付き移動端末は、前記アクセスポイント装置から受信した店舗の情報を保存し、所定の廃棄条件が成立すると廃棄することを特徴とする請求項１ないし９のいずれかに記載の注文システム。
【請求項１２】
前記中継機能付き移動端末は、前記アクセスポイント装置から直接電波が届かなくなったときに前記店舗の情報を廃棄することを特徴とする請求項１１に記載の注文システム。
【請求項１３】
前記中継機能付き移動端末は、前記店舗の情報を受信してから所定の保存期間が経過したときに前記店舗の情報を廃棄することを特徴とする請求項１１に記載の注文システム。
【請求項１４】
前記中継機能付き移動端末は、保存した店舗の情報を転送した他の中継機能付き移動端末が所定の数に達したときに前記店舗の情報を廃棄することを特徴とする請求項１１に記載の注文システム。
【請求項１５】
前記アクセスポイント装置は、店舗のサービス状況を表すサービス状況情報を前記メニュー情報と共に前記中継機能付き移動端末に提供することを特徴とする請求項１ないし９のいずれかに記載の注文システム。
【請求項１６】
前記アクセスポイント装置は、前記サービス状況情報として前記店舗の空席状況の情報を提供することを特徴とする請求項１５に記載の注文システム。
【請求項１７】
前記アクセスポイント装置は、前記サービス状況情報として前記店舗の待ち状況の情報を提供することを特徴とする請求項１５に記載の注文システム。
【請求項１８】
中継機能付き無線端末間ネットワークのアクセスポイント装置との通信機能と共に前記中継機能付き無線端末間ネットワークのデータ転送機能を提供する送受信手段と、
前記アクセスポイント装置から受信した店舗のメニュー情報を出力する出力手段と、
前記メニュー情報からのメニューの選択を入力するための入力手段と、
選択されたメニューを表す注文情報を前記アクセスポイント装置へ前記送受信手段に送信させる手段と、
前記メニュー情報および前記注文情報を前記中継機能付き無線端末間ネットワーク内で他の中継機能付き移動端末のために前記送受信手段に転送させる手段とを備えることを特徴とするナビゲーション装置。
【請求項１９】
現在位置を検出する現在位置検出手段と、
経路探索用の地図データを記憶する地図データ記憶手段と、
経路案内の目的地を設定する目的地設定手段と、
前記地図データ記憶手段に記憶された地図データを参照して、現在位置から目的地までの経路を探索する経路探索手段と、
を備え、前記目的地設定手段は、前記注文情報の送信の際には、注文先の店舗を経路案内の目的地に設定することを特徴とする請求項１８に記載のナビゲーション装置。
【請求項２０】
現在位置を検出する現在位置検出手段と、
経路探索用の地図データを記憶する地図データ記憶手段と、
経路案内の目的地を設定する目的地設定手段と、
経路案内の経由地を設定する経由地設定手段と、
前記地図データ記憶手段に記憶された地図データを参照して、現在位置から経由地を経由して目的地に達するの経路を探索する経路探索手段と、
を備え、前記経由地設定手段は、前記注文情報の送信の際には、注文先の店舗を経路案内の経由地に設定することを特徴とする請求項１８に記載のナビゲーション装置。
【発明の詳細な説明】
【技術分野】
【０００１】
本発明は、無線通信を利用した注文システムに関するものである。
【背景技術】
【０００２】
従来、飲食店等において、注文の受付およびサービスの迅速化や省力化のために、無線通信を利用する各種の注文システムが提案されている。従来の注文システムは、携帯通信端末と固定通信機を備え、携帯通信端末から固定通信機を通して注文受付コンピュータに注文の情報を送っている（例えば特許文献１参照）。
【０００３】
一方、無線通信の分野では、ユビキタスネットワークの開発が進展する中、中継機能付き無線端末間ネットワークが開発されている。中継機能付き無線端末間ネットワークとしては、アドホックネットワークが知られている。アドホックネットワークは、中継機能を有する移動体端末で構成され、比較的小型なネットワークを簡単に形成することができる。
【特許文献１】特開昭６２−１９３４３２号公報（第２−３ページ、図１）
【発明の開示】
【発明が解決しようとする課題】
【０００４】
しかしながら、従来の注文システムは、携帯通信端末から固定通信機へ電波が届かない場合に注文処理を行うことができないという問題がある。このような問題があるために、ＰＯＳシステムのように店内用の携帯通信端末を使った注文システムは提供できても、顧客が店外の車上等から無線で注文するような注文システムの提供は容易でなかった。
【０００５】
本発明は上記背景の下でなされたものであり、携帯通信端末から直接電波が届かない場合に適用可能な注文システムを提供することにある。
【課題を解決するための手段】
【０００６】
本発明の注文システムは、アクセスポイント装置と、前記アクセスポイント装置との通信機能と共に中継機能付き無線端末間ネットワークのデータ転送機能を有する中継機能付き移動端末とを備え、前記アクセスポイント装置は、前記アクセスポイント装置の周辺の複数の店舗のリストおよび各店舗のメニュー情報を記憶する店舗情報記憶手段と、前記中継機能付き無線端末間ネットワークを介して前記中継機能付き移動端末と通信する送受信手段と、前記複数の店舗にそれぞれ設置された複数の店舗コンピュータと通信する店舗送受信手段と、前記店舗情報記憶手段、前記送受信手段および前記店舗送受信手段を制御する制御手段とを備え、前記制御手段は、前記店舗のリストを前記中継機能付き移動端末に送信すると共に前記中継機能付き移動端末から受信した前記リストから選択された店舗の情報を受け付ける店舗選択受付手段と、選択された店舗に関連づけて記憶されているメニュー情報を前記店舗情報記憶手段から抽出して前記中継機能付き移動端末に送信すると共に前記中継機能付き移動端末から受信した前記メニュー情報から選択されたメニューを表す注文情報を受け付けるメニュー選択受付手段と、前記注文情報を注文先の店舗の店舗コンピュータに転送する処理を行う注文転送手段とを有し、前記中継機能付き移動端末は、前記中継機能付き無線端末間ネットワークを介して前記アクセスポイント装置と通信するとともに前記中継機能付き無線端末間ネットワークの転送機能を提供する送受信手段と、前記アクセスポイント装置から受信した前記店舗のリストおよび前記メニュー情報を出力する出力手段と、前記店舗のリストからの店舗の選択および前記メニュー情報からのメニューの選択を入力するための入力手段と、選択された店舗を表す店舗選択情報および選択されたメニューを表す注文情報を前記アクセスポイント装置へ送信させる手段と、前記店舗のリスト、前記メニュー情報、前記選択店舗情報および前記注文情報を前記中継機能付き無線端末間ネットワーク内で他の中継機能付き移動端末のために転送する手段とを備える。
【０００７】
この構成により、中継機能付き無線端末間ネットワークを介して注文情報を送るので、移動端末から直接アクセスポイント装置に電波が届かない場合でも、注文処理を行うことができる。また、この構成では、中継機能付き移動端末がアクセスポイント装置と通信することで、複数の店舗のうちの所望の店舗に対する注文を実現できる。
【０００８】
また、本発明の注文システムは、アクセスポイント装置と、前記アクセスポイント装置との通信機能と共に中継機能付き無線端末間ネットワークのデータ転送機能を有する中継機能付き移動端末とを備え、前記アクセスポイント装置は、店舗のメニュー情報を記憶する店舗情報記憶手段と、前記中継機能付き無線端末間ネットワークを介して前記中継機能付き移動端末と通信する送受信手段と、前記店舗情報記憶手段および前記送受信手段を制御する制御手段とを備え、前記制御手段は、前記店舗情報記憶手段から読み出した前記メニュー情報を前記中継機能付き移動端末に送信すると共に前記中継機能付き移動端末から受信した前記メニュー情報から選択されたメニューを表す注文情報を受け付ける処理を行うメニュー選択受付手段を備え、前記中継機能付き移動端末は、前記中継機能付き無線端末間ネットワークを介して前記アクセスポイント装置と通信するとともに前記中継機能付き無線端末間ネットワークの転送機能を提供する送受信手段と、前記アクセスポイント装置から受信した前記メニュー情報を出力する出力手段と、前記メニュー情報からのメニューの選択を入力するための入力手段と、選択されたメニューを表す注文情報を前記アクセスポイント装置へ送信させる手段と、前記メニュー情報および前記注文情報を前記中継機能付き無線端末間ネットワーク内で他の中継機能付き移動端末のために転送する手段とを備える。
【０００９】
この構成によっても、中継機能付き無線端末間ネットワークを介して注文情報を送るので、移動端末から直接アクセスポイント装置に電波が届かない場合でも、注文処理を行うことができる。この構成では、アクセスポイント装置が店舗に備えられてもよく、この場合には、アクセスポイント装置を店舗に設置することで店舗が注文を受けることができ、中継機能付き無線端末間ネットワークの簡便さを活かして、各店舗が簡単に無線で注文を受けることができる。
【００１０】
また、本発明の注文システムは、アクセスポイント装置と、前記アクセスポイント装置との通信機能と共に中継機能付き無線端末間ネットワークのデータ転送機能を有する中継機能付き移動端末とを備え、前記アクセスポイント装置は、前記アクセスポイント装置の周辺の複数の店舗にそれぞれ設置される複数の店舗コンピュータへのリンクを提供するリンク提供手段を備え、前記中継機能付き移動端末は、前記中継機能付き無線端末間ネットワークを介して前記アクセスポイント装置に接続され、前記店舗コンピュータは、前記アクセスポイント装置が有するリンクによって前記中継機能付き移動端末からアクセスされ、前記中継機能付き移動端末との間で注文のための情報処理を行う処理手段を有する。
【００１１】
この構成によっても、中継機能付き無線端末間ネットワークを介して注文情報を送るので、移動端末から直接アクセスポイント装置に電波が届かない場合でも、注文処理を行うことができる。また、この構成では、アクセスポイント装置がリンクを提供できればよいので、複数の店舗に対する注文処理を簡単な構成のアクセスポイントでもって実現できる。
【００１２】
また、本発明の注文システムは、アクセスポイント装置と、前記アクセスポイント装置との通信機能と共に中継機能付き無線端末間ネットワークのデータ転送機能を有する中継機能付き移動端末とを備え、前記アクセスポイント装置は、前記中継機能付き無線端末間ネットワークを介して、店舗のメニュー情報を前記中継機能付き移動端末に提供すると共に、前記店舗への注文情報を前記中継機能付き移動端末から受け付け、前記中継機能付き移動端末は、前記中継機能付き無線端末間ネットワークを介して前記メニュー情報を入手して前記注文情報を返すと共に、前記メニュー情報および前記注文情報を前記中継機能付き無線端末間ネットワーク内で転送する。
【００１３】
この構成によっても、中継機能付き無線端末間ネットワークを介して注文情報を送るので、移動端末から直接アクセスポイント装置に電波が届かない場合でも、注文処理を行うことができる。
【００１４】
また、本発明において、前記中継機能付き移動端末はカーナビゲーション装置に備えられている。この構成により、店舗の外で走行中の車両から注文を受けることが可能になる。
【００１５】
また、本発明において、前記中継機能付き移動端末は、注文先の店舗を経路案内の目的地に設定する。この構成により、注文先の店舗まで顧客を案内できる。
【００１６】
また、本発明において、前記中継機能付き移動端末は、注文先の店舗を経路案内の経由地に設定する。この構成により、注文先の店舗まで顧客を案内できる。
【００１７】
また、本発明において、前記中継機能付き移動端末は、注文先の店舗への到着予想時刻を算出し、前記アクセスポイント装置へ送信する。この構成により、店舗に顧客の到着時刻を把握させることができる。
【００１８】
また、本発明において、前記中継機能付き移動端末は携帯電話端末である。この構成により、店舗の外で携帯電話を操作する顧客から注文を受けることができる。
【００１９】
また、本発明において、前記アクセスポイント装置は、中継機能付き無線端末間ネットワークの最大ホップ数を示す情報とともにデータを送出し、前記中継機能付き移動端末は、残りホップ数を示す情報とともにデータを中継機能付き無線端末間ネットワーク内で転送する。この構成により、注文を受ける範囲を適当な大きさに制限することができる。
【００２０】
また、本発明において、前記中継機能付き移動端末は、前記アクセスポイント装置から受信した店舗の情報を保存し、所定の廃棄条件が成立すると廃棄する。この構成により、店舗の情報を、廃棄条件が成立するまでの適当な範囲で広めることができる。
【００２１】
また、本発明において、前記中継機能付き移動端末は、前記アクセスポイント装置から直接電波が届かなくなったときに前記店舗の情報を廃棄する。この構成により、店舗の情報の広がりを適当に制限できる。
【００２２】
また、本発明において、前記中継機能付き移動端末は、前記店舗の情報を受信してから所定の保存期間が経過したときに前記店舗の情報を廃棄する。この構成により、店舗の情報の広がりを適当に制限できる。
【００２３】
また、本発明において、前記中継機能付き移動端末は、保存した店舗の情報を転送した他の中継機能付き移動端末が所定の数に達したときに前記店舗の情報を廃棄する。この店舗の情報の広がりを適当に制限できる。
【００２４】
また、本発明において、前記アクセスポイント装置は、店舗のサービス状況を表すサービス状況情報を前記メニュー情報と共に前記中継機能付き移動端末に提供する。この構成により、店舗のサービス状況もメニューと共に中継機能付き移動端末を操作する顧客に伝達できる。
【００２５】
また、本発明において、前記アクセスポイント装置は、前記サービス状況情報として前記店舗の空席状況の情報を提供する。この構成により、空席状況を顧客に把握してもらうことができる。
【００２６】
また、本発明において、前記アクセスポイント装置は、前記サービス状況情報として前記店舗の待ち状況の情報を提供する。この構成により、どれくらい待つかの情報を顧客に把握してもらうことができる。待ち状況は、席に座れるまでの待ち人数または待ち時間でもよい。待ち状況は料理ができるまでの時間を表す情報でもよい。
【００２７】
また、本発明の別の態様はナビゲーション装置であり、この装置は、中継機能付き無線端末間ネットワークのアクセスポイント装置との通信機能と共に前記中継機能付き無線端末間ネットワークのデータ転送機能を提供する送受信手段と、前記アクセスポイント装置から受信した店舗のメニュー情報を出力する出力手段と、前記メニュー情報からのメニューの選択を入力するための入力手段と、選択されたメニューを表す注文情報を前記アクセスポイント装置へ前記送受信手段に送信させる手段と、前記メニュー情報および前記注文情報を前記中継機能付き無線端末間ネットワーク内で他の中継機能付き移動端末のために前記送受信手段に転送させる手段とを備える。
【００２８】
この構成により、上述したように、中継機能付き無線端末間ネットワークを介して注文情報を送るので、移動端末から直接アクセスポイント装置に電波が届かない場合でも、注文処理を行うことができる。
【００２９】
また、本発明のナビゲーション装置は、現在位置を検出する現在位置検出手段と、経路探索用の地図データを記憶する地図データ記憶手段と、経路案内の目的地を設定する目的地設定手段と、前記地図データ記憶手段に記憶された地図データを参照して、現在位置から目的地までの経路を探索する経路探索手段とを備え、前記目的地設定手段は、前記注文情報の送信の際には、注文先の店舗を経路案内の目的地に設定する。この構成により、注文先の店舗まで顧客を案内できる。
【００３０】
また、本発明のナビゲーション装置は、現在位置を検出する現在位置検出手段と、経路探索用の地図データを記憶する地図データ記憶手段と、経路案内の目的地を設定する目的地設定手段と、経路案内の経由地を設定する経由地設定手段と、前記地図データ記憶手段に記憶された地図データを参照して、現在位置から経由地を経由して目的地に達するの経路を探索する経路探索手段とを備え、前記経由地設定手段は、前記注文情報の送信の際には、注文先の店舗を経路案内の経由地にに設定する。この構成により、注文先の店舗まで顧客を案内できる。
【発明の効果】
【００３１】
本発明は、アクセスポイント装置と、前記アクセスポイント装置との通信機能と共に中継機能付き無線端末間ネットワークのデータ転送機能を有する中継機能付き移動端末とを設け、中継機能付き移動端末から中継機能付き無線端末間ネットワークを利用して注文処理を行うように構成したことにより、移動端末から直接アクセスポイント装置に電波が届かない場合でも注文処理を行うことができ、店舗の周辺からでも顧客が容易に注文できるという効果を有する注文システムを提供することができるものである。
【発明を実施するための最良の形態】
【００３２】
以下、本発明の実施の形態の注文システムについて、図面を用いて説明する。本実施の形態では、中継機能付き無線端末間ネットワークとしてアドホックネットワークを利用した例について説明する。アドホックネットワークは、無線で接続できる端末で構成されたネットワークであり、多数の端末を相互に接続するマルチホップ通信の形態の中継機能を有するネットワークである。
【００３３】
図１は、本発明の第１の実施の形態の注文システムを示している。図１において、注文システム１０は、アクセスポイント装置１２と、複数のナビゲーション装置１４ａ、１４ｂ、１４ｃとを有する（以下、ナビゲーション装置１４ａ、ｂ、ｃを総称するときは、ナビゲーション装置１４という）。複数のナビゲーション装置１４は、アクセスポイント装置１２の周辺を走行している複数の車両にそれぞれ搭載されている。これら複数のナビゲーション装置１４は無線通信機能を備え、アクセスポイント装置１２と共にアドホックネットワーク１６を形成している。アドホックネットワークは、中継機能を搭載した移動端末で構成されるネットワークである。本実施の形態の場合、ナビゲーション装置１４が移動端末の機能に加えて、他のナビゲーション装置１４への中継機能を備え、これによりアドホックネットワーク１６が構成される。なお、図１では、３つのナビゲーション装置１４が示されているが、ナビゲーション装置１４の数は３つより多くてもよい。
【００３４】
アクセスポイント装置１２は、複数の店舗コンピュータ１８と、アドホックネットワーク１６とは別のインターネット等のネットワーク２０を介して接続される。複数の店舗コンピュータ１８は、アクセスポイント装置１２の周辺にある複数の店舗に設置されている。
【００３５】
図１において、アクセスポイント装置１２および店舗コンピュータ１８は、ハードウエア的には通信機能を備えたコンピュータ装置であり、メモリ、ＣＰＵ、入出力インターフェース、入出力デバイス、外部記憶装置といったコンピュータの通常の構成に加え、送受信機能を実現する通信装置を備える。また、ナビゲーション装置１４も通信機能を備えたコンピュータの構成を有しており、制御部として機能するコンピュータであるＥＣＵ（エレクトリックコントロールユニット）が設けられ、現在位置検出機能等を制御する。
【００３６】
図２は、アクセスポイント装置１２の構成を示すブロック図であり、本実施の形態では、下記のようにアクセスポイント装置１２にサーバが設置されている。図２において、アクセスポイント装置１２は、店舗に関する情報を記憶する店舗情報記憶部３０と、アドホックネットワーク１６との通信のためのアドホック送受信部３２と、ネットワーク２０を介して店舗コンピュータ１８と通信するための送受信部３４と、これらを制御する制御部３６とを備える。
【００３７】
店舗情報記憶部３０は、アクセスポイント装置１２に接続される複数の店舗のリストと、各店舗のメニュー情報を記憶している。制御部３６は、アドホック送受信部３２および送受信部３４を制御して、ナビゲーション装置１４および店舗コンピュータ１８と通信する。そして、制御部３６は、店舗情報記憶部３０に記憶された情報を利用して、店舗コンピュータ１８が設置された店舗への注文をナビゲーション装置１４から受け付ける処理を行う。
【００３８】
制御部３６において、店舗選択受付処理部３８は、店舗情報記憶部３０に記憶された店舗リストを読み出してアドホックネットワーク１６経由でナビゲーション装置１４に提供し、ナビゲーション装置１４から受信される上記リストから選択された店舗の情報を受け付ける処理を行う。
【００３９】
メニュー選択受付処理部４０は、選択された店舗に関連づけて記憶されている店舗のメニュー情報を店舗情報記憶部３０から抽出する。ここでは、店舗情報記憶部３０に店舗ごとに記憶されているメニュー情報の中から、選択された店舗のメニュー情報が求められ、読み出される。メニュー選択受付処理部４０は、抽出したメニュー情報をアドホックネットワーク１６経由でナビゲーション装置１４に提供して、ナビゲーション装置１４から受信されるメニュー情報から選択されたメニューを表す注文情報を受け付ける処理を行う。
【００４０】
注文転送部４２は、メニュー選択受付処理部４０によって受け付けられた注文情報を店舗コンピュータ１６に転送する処理を行う。ここでは、上述の選択された店舗の情報が参照され、選択された店舗の店舗コンピュータ１６を対象として通信で注文情報が送信される。
【００４１】
図３は、ナビゲーション装置１４の構成を示すブロック図である。図３において、ナビゲーション装置１４は、ＧＰＳを用いて車両の現在位置を検出する現在位置検出部５０と、経路探索および経路案内用の地図データを記憶する地図データ記憶部５２と、ディスプレイおよびスピーカ等の出力装置５４と、ボタン、スイッチ、マイク等の入力装置５６と、アドホックネットワーク１６との通信のためのアドホック送受信部５８と、これらを制御する制御部６０とを備える。
【００４２】
制御部６０は、地図データ記憶部５２から現在位置周辺の地図を読み出して出力装置５４のディスプレイ上に現在位置マークと共に表示する。また、制御部６０は、入力装置５６を用いて入力された目的地までの現在位置からの最適経路を、地図情報に基づいてダイクストラ法等の適当なアルゴリズムを用いて探索する。そして、制御部６０は、探索した最適経路に沿って車両を案内する処理を行う。例えば、ディスプレイにて、地図上に最適経路が表示される。また、交差点が接近すると、交差点の拡大図が表示され、進行方向が示される。
【００４３】
また、制御部６０は、アドホック送受信部５８を制御して、アドホックネットワーク１６を経由してアクセスポイント装置１２と通信する。制御部６０は、アクセスポイント装置１２から店舗リスト情報を取得して、選択された店舗を示す情報をアクセスポイント装置１２に返す機能を有する。また、制御部６０は、アクセスポイント装置１２からメニュー情報を取得して、選択されたメニューを示す注文情報をアクセスポイント装置１２に返す機能を有する。
【００４４】
図４は、上記の注文システム１０の動作の例を示している。アクセスポイント装置１２の周辺地域では、アクセスポイント装置１２が、周辺を走行する車両に搭載されたナビゲーション装置１４ａ、１４ｂと共にアドホックネットワーク１６を形成している。ある車両がアドホックネットワーク１６の領域に入ると、その車両に搭載されたナビゲーション装置１４ｃがアドホックネットワーク１６に加わる（Ｓ１０）。
【００４５】
アドホックネットワーク１６では、下記のように、アクセスポイント装置１２からアドホックネットワーク１６内のナビゲーション装置１４ｃに対して店舗リストが提供される（Ｓ１２）。アクセスポイント装置１２では、制御部３６の店舗選択受付処理部３８が、店舗リストを店舗情報記憶部３０から読み出し、アドホック送受信部３２を用いて店舗リストを送出する。店舗リストは、まず、アクセスポイント装置１２から直接電波が届くナビゲーション装置１４ａに送られる。そして、ナビゲーション装置１４ａは、店舗リストを受信すると、その店舗リストを、アクセスポイント装置１２から電波が届かないナビゲーション装置１４ｂへと転送する。このように転送が繰り返され、アドホックネットワーク１６内のナビゲーション装置１４ｃに店舗リストが提供される。
【００４６】
ナビゲーション装置１４ｃでは、運転者による入力装置５６への所定の操作に応答して、制御部６０が店舗リストを出力装置５４のディスプレイに表示する（Ｓ１４）。店舗リストのうちの１件の店舗が運転者により入力装置５６を用いて選択されると、制御部６０は、アドホック送受信部５８を制御して、選択された店舗を示す情報を送信する（Ｓ１６）。この情報は、アドホックネットワーク１６を介してアクセスポイント装置１２へ送られる。ここでも、アクセスポイント装置１２へ直接電波が届かなくとも、他のナビゲーション装置１４ａ、１４ｂの転送機能によってアクセスポイント装置１２との通信が行われる。
【００４７】
アクセスポイント装置１２では、制御部３６の店舗選択受付処理部３８が、店舗の選択を示す情報をアドホック送受信部３２から受け付ける（Ｓ１８）。次に、制御部３６のメニュー選択受付処理部４０が、選択された店舗のメニュー情報を店舗情報記憶部３０から読み出す。本実施の形態では、店舗が飲食店であり、メニュー情報はメニューリストと各メニューの価格を含んでいる。メニュー選択受付処理部４０は、アドホック送受信部３２を制御し、アドホックネットワーク１６経由で、店舗の選択を示す情報を送ってきたナビゲーション装置１４ｃへとメニュー情報を送信する（Ｓ２０）。メニュー情報は、アクセスポイント装置１２から他のナビゲーション装置１４ａ、１４ｂに転送されて、宛先のナビゲーション装置１４ｃへと到達する。
【００４８】
ナビゲーション装置１４ｃでは、制御部６０がメニュー情報を出力装置５４のディスプレイに表示する（Ｓ２２）。メニュー情報のメニューリストのうちのメニュー（料理）が運転者により入力装置５６を用いて選択されると、制御部６０は、アドホック送受信部５８を制御して、選択されたメニューを示す情報を送信する（Ｓ２４）。複数のメニューが選択されてもよい。選択されたメニューの情報は、注文情報としてアドホックネットワーク１６を介してアクセスポイント装置１２へ送られる。既に説明したように、アドホックネットワーク１６を用いることにより、アクセスポイント装置１２へ直接電波が届かない場合でも、他のナビゲーション装置１４ａ、１４ｂの転送機能によってアクセスポイント装置１２との通信が可能である。
【００４９】
アクセスポイント装置１２では、制御部３６のメニュー選択受付処理部４０が、メニューの選択を示す情報を注文情報としてアドホック送受信部３２から受け付ける（Ｓ２６）。次に、制御部３６の注文転送部４２が、注文情報を店舗コンピュータ１８に転送するための処理を行う（Ｓ２８）。注文転送部４２は、送受信部３４を用いて、ネットワーク２０経由で、上述の処理で選択された店舗に設置された店舗コンピュータ１８へと注文情報を送信する。
【００５０】
店舗コンピュータ１８は、注文受付の可否を判定する（Ｓ３０）。判定結果はアクセスポイント装置１２へ送信され（Ｓ３２）、記録される（Ｓ３４）。そして、アクセスポイント装置１２は、注文受付の可否を示す情報をナビゲーション装置１４ｃに送り（Ｓ３６）、この情報はナビゲーション装置１４ｃにてディスプレイ上に表示され、運転者に提示される（Ｓ３８）。注文受付が可能な場合は、注文成立の情報が送信および提示される。
【００５１】
また、店舗コンピュータ１８は、注文を受付可能な場合、受信した注文情報を出力する（Ｓ４０）。例えば、注文情報がディスプレイ上に表示される。店舗では、注文情報に示されるメニューの料理が作られる。注文を送ったナビゲーション装置１４ｃを搭載した車両が店舗に到着すると、注文された料理が店舗に訪れた顧客に提供される。
【００５２】
なお、上記の動作では、ナビゲーション装置１４ｃにアクセスポイント装置１２から直接電波が届かない例を説明しており、そのために他のナビゲーション装置１４ａ、１４ｂの転送が必要であった。しかし、アクセスポイント装置１２から直接電波が届く場合には、転送は不要であり、この場合もアドホックネットワーク１６を介した通信に該当する。
【００５３】
以上に説明したように、本発明の実施の形態の注文システム１０によれば、アクセスポイント装置１２とナビゲーション装置１４が、中継機能付き無線端末間ネットワークであるアドホックネットワーク１６を構成し、アドホックネットワーク１６を介して注文情報を通信するので、移動端末から直接アクセスポイント装置に電波が届かない場合でも、注文処理を行うことができる。これにより、店舗の周辺からでも顧客が容易に注文を店舗に送ることができる。
【００５４】
また、上記の実施の形態によれば、ナビゲーション装置１４に、中継機能付き無線端末間ネットワークであるアドホックネットワークの端末機能を備えたことにより、店舗の外で走行中の車両からの注文が可能である。
【００５５】
また、上記の実施の形態によれば、アクセスポイント装置１２が周辺の複数の店舗の注文情報を受け付けるように構成したので、アドホック移動端末であるナビゲーション装置１４は、アクセスポイント装置にアクセスすることで、周辺の複数の店舗のうちの所望の店舗に対して注文をすることができ、便利である。
【００５６】
図５は、本発明の第２の実施の形態の注文システムを示している。以下の説明において、上述の実施の形態と重複する事項の説明は省略する。
【００５７】
図５に示すように、本実施の形態の注文システム７０では、アクセスポイント装置７２が店舗コンピュータに接続されていない。本実施の形態では、アクセスポイント装置７２が店舗に設置されており、専ら設置店舗の注文を取るためだけに使用される。
【００５８】
図６は、アクセスポイント装置７２のブロック図である。アクセスポイント装置７２は、第１の実施の形態のアクセスポイント装置１２（図２）と下記の点で異なる。すなわち、図６では、アクセスポイント装置７２が一の店舗のために機能すればよいので、店舗情報記憶部３０にはメニュー情報が記憶されているが、店舗リストは記憶されていない。また、制御部３６には店舗選択受付処理部が設けられていない。さらに、アクセスポイント装置７２が店舗に設置されたのに伴い、店舗コンピュータとの通信のための送受信部が廃止され、制御部３６の注文転送部も廃止されている。
【００５９】
上記のように構成された注文システム７０について、その動作を説明する。注文システム７０においては、アクセスポイント装置７２の制御部３６のメニュー選択受付処理部４０が、店舗情報記憶部３０からメニュー情報を読み出して、アドホックネットワーク１６経由でナビゲーション装置１４に送る。メニュー情報は、アドホックネットワーク１６に加わった全てのナビゲーション装置１４に提供される。この動作は、第１の実施の形態における店舗リストの提供と同様である。
【００６０】
各ナビゲーション装置１４では、運転者による入力装置５６への所定の操作に応答して、制御部６０がメニュー情報を出力装置５４のディスプレイに表示する。メニュー情報中から所望のメニュー（料理）が運転者により入力装置５６を用いて選択されると、制御部６０は、アドホック送受信部５８を制御して、選択されたメニューを示す情報を注文情報として送信する。この注文情報が、アドホックネットワーク１６を介してアクセスポイント装置７２へ送られる。
【００６１】
アクセスポイント装置７２では、制御部３６のメニュー選択受付処理部４０が、メニューの選択を示す情報を注文情報としてアドホック送受信部３２から受け付ける。制御部３６は、受け付けた注文情報を、図示しない出力装置を用いて出力する。例えば、注文情報がディスプレイ上に表示される。店舗では、注文情報に示されるメニューの料理が作られ、提供される。
【００６２】
以上に説明した第２の実施の形態によっても、アドホックネットワーク１６を介して注文情報を送るので、移動端末から直接アクセスポイント装置に電波が届かない場合でも、注文処理を行うことができる。また、上記の実施の形態によれば、アクセスポイント装置７２を店舗に設置することで店舗が注文を受けることができ、アドホックネットワーク１６の簡便さを活かして、各店舗が簡単に無線で注文を受けることができる。例えば、店舗駐車場にいる顧客から注文を受けることができ、いわゆるドライブスルーのサービスを提供するシステムを容易に構築できる。
【００６３】
なお、第２の実施の形態において、複数の店舗の各々にアクセスポイント装置７２が設置され、複数のアクセスポイント装置７２と複数のナビゲーション装置１４によってアドホックネットワーク１６が形成されてもよい。この場合、各々のアクセスポイント装置７２が上記のように動作する。
【００６４】
また、第２の実施の形態においてもアクセスポイント装置７２は店舗コンピュータと接続されてもよい。
【００６５】
次に、本発明の第３の実施の形態を説明する。
【００６６】
図７は、第３の実施の形態の注文システムを示している。第１の実施の形態との相違点として、図７の注文システム８０では、アクセスポイント装置８２は、複数の店舗コンピュータ１８へのリンクを提供するためのリンク提供部８４を備えている。そして、各店舗コンピュータ８６が、設置された店舗の詳細情報を記憶している。詳細情報には、注文を取るためのメニュー情報も含まれている。アクセスポイント装置８２にはメニュー情報は記憶されていない。
【００６７】
本実施の形態でも、アクセスポイント装置８２は、アドホックネットワーク１６を形成する複数のナビゲーション装置１４と通信する。しかし、第１の実施の形態ではアクセスポイント装置が自ら記憶しているメニュー情報を提供するのに対し、本実施の形態のアクセスポイント装置８２では、制御部３６のリンク提供部８４が店舗コンピュータ８６へのリンクを提供する。したがって、ナビゲーション装置１４は、アドホックネットワーク１６を経由し、さらにアクセスポイント装置１２を経由して店舗コンピュータ８６にアクセスし、メニューを含む詳細情報を参照し、注文を送る。店舗コンピュータ８６は、ナビゲーション装置１４からアクセスされ、ナビゲーション装置１４との間で注文のための情報処理を行う処理機能を有する。処理機能の内容は、第１の実施の形態でアクセスポイント装置に備えられる構成と同様でよい。
【００６８】
以上に説明したように、本発明の第３の実施の形態の注文システム８０によっても、アドホックネットワーク１６を介して注文情報を送るので、移動端末から直接アクセスポイント装置に電波が届かない場合でも、注文処理を行うことができる。また、上記の実施の形態によれば、アクセスポイント装置８２に店舗コンピュータ８６へのリンクを設けたので、複数の店舗に対する注文処理を簡単な構成のアクセスポイント８２でもって実現できる。
【００６９】
次に、本発明の第４の実施の形態を説明する。
【００７０】
図８は、第４の実施の形態におけるナビゲーション装置の構成を示している。注文システムの全体構成は図１と同様でよい。
【００７１】
図８において、ナビゲーション装置９０の制御部９２は、目的地設定部９４、経路探索部９６、到着時刻算出部９８および経路案内部１００を有する。
【００７２】
目的地設定部９４は、運転者の入力装置５６に対する操作に従って経路案内の目的地を設定する。また、本実施の形態の特徴として、ナビゲーション装置９０がアクセスポイント装置１２に注文情報を送信するときには、目的地設定部９４が、注文先の店舗を経路探索の目的地に自動的に設定する。なお、注文先の店舗の住所は、アクセスポイント装置１２の店舗情報記憶部３０に記憶されており、メニュー情報と共にナビゲーション装置９０に送信されてくる。
【００７３】
経路探索部９６は、地図データ記憶部５２に記憶された地図データを参照して、現在位置から目的地までの最適経路を探索する。現在位置は前述のように現在位置検出部５０により検出されている。現在位置検出部５０は、ＧＰＳおよび自律航法を利用して現在位置を検出する。また、経路探索部９６は、ダイクストラ法等のアルゴリズムにより目的地までの経路を探索する。
【００７４】
到着時刻算出部９８は、経路探索部９６によって探索された最適経路を利用するときの目的地への到着時刻の推定値である到着予想時刻を算出する。後述するように、注文先の店舗が目的地に設定されているときは、到着予想時刻の情報はアクセスポイント装置１２へと送信される。
【００７５】
なお、到着時刻算出部９８は、渋滞情報を利用して、到着予想時刻を算出してもよく、これにより到着予想時刻がより精度よく求められる。渋滞情報は、好適には、図示しないＶＩＣＳ受信機を用いてＦＭ多重放送またはビーコン装置との通信によって取得される。
【００７６】
経路案内部１００は、経路探索部９６によって探索された最適経路に沿って車両を案内するための処理を行う。最適経路が出力装置５４のディスプレイに表示される。そして、交差点が近づくと、交差点拡大図が表示され、進行方向が示される。また、スピーカを用いて音声案内が出力される。
【００７７】
図９は、上記のナビゲーション装置９０の動作を示している。図９において、Ｓ５０〜Ｓ６４は、第１の実施の形態で説明した注文処理である。アクセスポイント装置１２から店舗リストが受信され（Ｓ５０）、店舗リストがディスプレイに表示される（Ｓ５２）。一の店舗が選択されると（Ｓ５４）、選択された店舗を示す情報がアクセスポイント装置１２へ送信される（Ｓ５６）。次に、アクセスポイント装置１２から、選択された店舗のメニュー情報が受信され（Ｓ５８）、ディスプレイに表示される（Ｓ６０）。メニューが選択されると（Ｓ６２）、選択されたメニューを示す注文情報がアクセスポイント装置１２へ送信される（Ｓ６４）。
【００７８】
本実施の形態では、上記のＳ５８にて、メニュー情報と共に、選択された店舗の住所がアクセスポイント装置１２から送信されてくる。店舗の住所は、アドホック送受信部５８に受信され、制御部６０の目的地設定部９４に取得されている。ステップＳ６４で注文情報がアクセスポイント装置１２に送信されるとき、目的地設定部９４は、注文先の店舗の住所を目的地に設定する（Ｓ６６）。経路探索部９６は、現在位置から目的地までの最適経路を探索する（Ｓ６８）。そして、到着時刻算出部９８は、経路探索部９６が探索した最適経路を利用するときの目的地（注文先の店舗）への到着予想時刻を算出する（Ｓ７０）。算出された到着予想時刻は、制御部６０により、アドホック送受信部５８を用いて、アドホックネットワーク１６経由でアクセスポイント装置１２へ送信される（Ｓ７２）。到着予想時刻は注文情報と共に送信されてもよい。到着予想時刻は、アクセスポイント装置１２により、注文先の店舗の店舗コンピュータ１８へと転送される。一方、ナビゲーション装置９０では、経路案内部１００が、経路探索部９６によって探索された最適経路に沿って車両を案内するための処理を行う（Ｓ７４）。
【００７９】
以上に説明したように、本発明の第４の実施の形態によれば、ナビゲーション装置の目的地設定部が、注文先の店舗を経路案内の目的地に設定するので、注文先の店舗まで顧客を案内でき、顧客にとって便利である。
【００８０】
また、本実施の形態によれば、目的地である注文先の店舗への到着予想時刻を算出し、アクセスポイント装置１２へ送信するので、店舗に顧客の到着時刻を把握させることができる。
【００８１】
次に、本発明の第５の実施の形態を説明する。
【００８２】
図１０は、第５の実施の形態におけるナビゲーション装置の構成を示している。注文システムの全体構成は図１と同様でよい。
【００８３】
図１０に示すように、第５の実施の形態のナビゲーション装置１１０は、第４の実施の形態のナビゲーション装置に加えて、制御部６０に経由地設定部１１２を備えている。経由地設定部１１２は、運転者の入力装置５６に対する操作に従って経路案内の経由地を設定する。また、本実施の形態の特徴として、ナビゲーション装置１１０がアクセスポイント装置１２に注文情報を送信するときには、経由地設定部１１２が、注文先の店舗を経路探索の経由地に自動的に設定する。なお、注文先の店舗の住所は、アクセスポイント装置１２の店舗情報に記憶されており、メニュー情報と共にナビゲーション装置１１２に送信されてくる。
【００８４】
また、本実施の形態では、経路探索部９６は、地図データ記憶部５２に記憶された地図データを参照して、現在位置から経由地を経由して目的地に達するの経路を探索する。到着時刻算出部９８は、経路探索部９６により探索された最適経路に沿って走行するときの経由地に到達する時刻の推定値を算出する。また、経路案内部１００は、最適経路に沿って経由地を通って目的地へと車両を案内する処理を行う。
【００８５】
図１１は、上記のナビゲーション装置１１０の動作を示している。ここでは、図９に示される第４の実施の形態での動作との相違点を中心として、ナビゲーション装置１１０の動作を説明する。図１１の処理は、既に目的地が設定され、経路探索が行われ、探索された経路に沿って経路案内が行われている状況で実行される。この状況下で、図１１のＳ５０〜Ｓ６４にて、店舗が選択され、メニューが選択され、注文情報が送信されたとする。注文情報が送信されると、経由地設定部１１２が、注文先の店舗の住所を経路案内の経由地に設定する（Ｓ８０）。注文先の店舗は前述のようにメニュー情報と共に入手されている。
【００８６】
経路探索部９６は、現在位置から経由地を通って目的地に至る最適経路を探索する（Ｓ８２）。ここでは、経路探索部９６は、既に経路案内に使われている目的地を使用する。また、経路探索部９６は、現在位置検出部５０が検出した最新の現在位置を使用する。要するに、経路探索部９６は、経由地設定部１１２が設定した経由地を取り込んで、経路を最探索する。そして、到着時刻算出部９８は、経路探索部９６が探索した最適経路を利用するときの経由地（注文先の店舗）への到着予想時刻を算出する（Ｓ８４）。算出された到着予想時刻は、制御部６０により、アドホック送受信部５８を用いて、アドホックネットワーク１６経由でアクセスポイント装置１２へ送信される（Ｓ８６）。到着予想時刻は注文情報と共に送信されてもよい。到着予想時刻は、アクセスポイント装置１２により、注文先の店舗の店舗コンピュータ１８へと転送される。一方、ナビゲーション装置１１０では、経路案内部１００が、経路探索部９６によって探索された最適経路に沿って車両を案内するための処理を行う（Ｓ８８）。
【００８７】
以上に説明したように、本発明の第５の実施の形態によれば、ナビゲーション装置の経由地設定部が、注文先の店舗を経路案内の経由地に設定するので、注文先の店舗まで顧客を案内でき、顧客にとって便利である。
【００８８】
また、本実施の形態によれば、経由地である注文先の店舗への到着予想時刻を算出し、アクセスポイント装置１２へ送信するので、店舗に顧客の到着時刻を把握させることができる。
【００８９】
図１２は、本発明の第６の実施の形態の注文システムを示している。図１２に示すように、本実施の形態の注文システム１２０は、ナビゲーション装置の代わりに携帯電話端末１２２ａ、１２２ｂ、１２２ｃで構成されている。注文システム１２０の動作は、顧客の操作対象が異なる点を除き、上述の実施の形態と概ね同様でよい。
【００９０】
第６の実施の形態によれば、アドホックネットワークの端末が携帯電話端末９２であるので、店舗の外で携帯電話端末９２を操作する顧客から注文を受けることができる。
【００９１】
次に、本発明の第７の実施の形態について説明する。以下に説明するように、本実施の形態では、ホップ数を表す情報を用いて、ホップ数、すなわち転送回数（経由回数）が制限される。
【００９２】
図１３は、本実施の形態の注文システムを示している。注文システム１３０の概略構成は、図１の第１の実施の形態と同様である。そして、本実施の形態では、注文システム１３０がアクセスポイント装置１３２およびナビゲーション装置１３４ａ、１３４ｂ・・・１３４ｎで構成される（以下、ナビゲーション装置１３４ａ、１３４ｂ・・・１３４ｎを総称するときは、ナビゲーション装置１３４という）。そして、アクセスポイント装置１３２およびナビゲーション装置１３４が、カウンタ値を処理するカウンタ処理部１３６、１３８を備えている。アクセスポイント装置１３２のカウンタ処理部１３６は、データの送信時には、任意の整数を入力したカウンタをデータに付加する。この整数は、最大ホップ数になる。最大ホップ数は、転送回数の上限を示す情報である。
【００９３】
また、ナビゲーション装置１３４のカウンタ処理部１３８は、データの転送の際には、データに添付されたカウンタから「１」を減ずる。減算後のカウンタが、データと共に次のナビゲーション装置１３４に転送される。減算後のカウンタの数値は残りホップ数に相当する。残りホップ数は、残り何回の転送が許容されるかを示す情報である。また、カウンタ処理部１３８は、カウンタの値が０になっていることを検出すると、その旨を通信制御部に伝える。これにより、データのさらなる転送が抑制される。
【００９４】
図１４は、本実施の形態の注文システム１３０の動作を示している。アクセスポイント装置１２のカウンタ処理部１３６は、アクセスポイント装置１２が新たにデータを送出するとき、所定の整数を入力したカウンタをデータに付加する（Ｓ１００）。例えば、上述の店舗リストおよびメニュー情報にカウンタが付加される。カウンタは、データと共に、アドホックネットワーク１６経由で一のナビゲーション装置１３４ａに受信される（Ｓ１０２）。ナビゲーション装置１３４ａでは、カウンタから「１」が減算される（Ｓ１０４）。減算後のカウンタは、再びデータと共に、次のナビゲーション装置１３４ｂへ転送される（Ｓ１０６）。
【００９５】
上記のカウンタの減算と転送が繰り返された結果、あるナビゲーション装置１３４ｎがデータを受信したとき、カウンタの値が「０」になっている（Ｓ１０８）。この場合、さらなる転送が禁止される。
【００９６】
以上に説明したように、本発明の第７の実施の形態によれば、アクセスポイント装置１３２が、所定の整数を入力したカウンタと共にデータを送り、アドホックネットワークの移動端末であるナビゲーション装置１３４は、カウンタを減算してからデータを転送する。最初に入力される整数は最大ホップ数を示しており、減算後のカウンタは残りホップ数を示している。このように、本実施の形態では、アクセスポイント装置１３２がアドホックネットワーク１６の最大ホップ数を示す情報と共にデータを送出し、端末は残りホップ数を示す情報と共にデータを転送するので、注文処理における通信の範囲、すなわち注文を受ける範囲を適当な大きさに制限することができる。
【００９７】
次に、本発明の第８の実施の形態について説明する。以下に説明するように、本実施の形態では、アドホックネットワークの端末であるナビゲーション装置が、アクセスポイント装置から受け取ったデータを保存し、管理する。
【００９８】
図１５は、本実施の形態のナビゲーション装置を示している。本実施の形態の注文システムの全体的な構成は、上述のいずれかの実施の形態と同様でよい。
【００９９】
図１５において、ナビゲーション装置１４０の制御部１４２は、データ保存処理部１４４およびデータ廃棄処理部１４６を有し、データ廃棄処理部１４６は廃棄条件記憶部１４８および廃棄判定部１５０を有する。データ保存処理部１４４は、アクセスポイント装置１２から受信した店舗の情報（例えば店舗リストまたはメニュー情報）をアクセスポイント装置１４０内に保存する処理を行う。データ廃棄処理部１４６は、データ保存処理部１４６が保存したデータを、所定の廃棄条件が成立したときに廃棄する処理を行う。データ廃棄処理部１４６において、廃棄条件記憶部１４８は廃棄の条件を記憶しており、廃棄判定部１５０は廃棄の条件が成立したか否かを判定する。本実施の形態では、アクセスポイント装置１２から直接電波が届かなくなったときに廃棄条件が成立する。
【０１００】
図１６は、本実施の形態のナビゲーション装置１４０の動作を示している。図１６の処理は、アクセスポイント装置１２から直接電波を受信するナビゲーション装置１４０において実行される。
【０１０１】
図１６においては、ナビゲーション装置１４０がアクセスポイント装置１２からデータを受信すると（Ｓ１２０）、制御部１４２のデータ保存処理部１４４によってデータが保存される（Ｓ１２２）。ここでは、データがナビゲーション装置１４０にてキャッシュされる。保存されたデータは、アドホックネットワーク１６を用いて他のナビゲーション装置へ転送される。
【０１０２】
データ廃棄処理部１４６の廃棄判定部１５０は、廃棄条件記憶部１４８に記憶された廃棄条件を参照し、廃棄条件が成立したか否かを判定する（Ｓ１２４）。本実施の形態では、廃棄判定部１５０は、アクセスポイント装置１２との通信状態の情報を参照する。廃棄判定部１５０は、アクセスポイント装置１２との通信が不能になると、アクセスポイント装置１２から直接電波が届かなくなったと判定し、そして、廃棄条件が成立したと判定する。この判定を受けて、データ廃棄処理部１４６は、データ保存部１５０により保存されたデータを廃棄する処理部を行う（Ｓ１２６）。
【０１０３】
以上に説明した本発明の第８の実施の形態によれば、店舗の情報を、廃棄条件が成立するまでの適当な範囲で広めることができる。
【０１０４】
また、本実施の形態によれば、ナビゲーション装置は、アクセスポイント装置から直接電波が届かなくなったときに店舗の情報を廃棄しており、これにより、店舗の情報の広がりを適当に制限できる。
【０１０５】
次に、本発明の第９の実施の形態について説明する。本実施の形態の構成は、図１５に示される第８の実施の形態と同様でよい。ただし、第９の実施の形態は、廃棄条件が第８の実施の形態と異なっている。すなわち、廃棄条件記憶部１４８は、廃棄条件として、所定の保存期間を記憶している。廃棄判定部１５０は、店舗の情報を受信し、データ保存処理部１４４が保存してから上記の保存期間が過ぎたか否かを監視し、保存期間が過ぎたとき、廃棄条件が成立したと判定する。
【０１０６】
図１７は、本実施の形態の動作を示している。図示のように、本実施の形態の動作は、第８の実施の形態に対して、廃棄条件の判定処理が異なっている。すなわち、ステップＳ１２４では、データの受信からの経過時間が取得される。この経過時間を取得できるように、データ保存処理部１４４はデータ受信時を記録している。廃棄判定部１５０は、上述したように、データ受信からの経過時間が保存期間に達したか否かを判断し、保存期間が経過すると、廃棄条件が成立したと判定する。これによりデータ廃棄処理部１４６によりデータが廃棄される（Ｓ１２６）。
【０１０７】
以上に説明した本発明の第９の実施の形態によっても、店舗の情報を、廃棄条件が成立するまでの適当な範囲で広めることができる。
【０１０８】
また、本実施の形態によれば、ナビゲーション装置は、店舗の情報を受信してから所定の保存期間が経過したときに店舗の情報を廃棄するので、店舗の情報の広がりを適当に制限できる。
【０１０９】
次に、本発明の第１０の実施の形態について説明する。本実施の形態の構成も、図１５に示される第８の実施の形態と同様でよいが、廃棄条件が第８の実施の形態と異なっている。すなわち、廃棄条件記憶部１４８は、廃棄条件として、所定の伝達数の上限値を記憶している。伝達数とは、アドホックネットワーク１６の転送機能を用いてデータ（アクセスポイント装置１２から取得して保存したデータ）を伝達したナビゲーション装置の数である。伝達数は、制御部６０によって記録されている。廃棄判定部１５０は、伝達数を記憶している上限値と比較し、伝達数が上限値に達すると、廃棄条件が成立したと判定する。
【０１１０】
図１８は、本実施の形態の動作を示している。図示のように、本実施の形態の動作は、第９の実施の形態に対して、廃棄条件の判定処理が異なっている。すなわち、ステップＳ１２４では、制御部６０にて記録されている伝達数が参照され、廃棄条件記憶部１４８が記憶している伝達数の上限値と比較される。伝達数が上限値に達すると、廃棄判定部１５０は廃棄条件が成立したと判定する。これによりデータ廃棄処理部１４６によりデータが廃棄される（Ｓ１２６）。
【０１１１】
以上に説明した本発明の第１０の実施の形態によっても、店舗の情報を、廃棄条件が成立するまでの適当な範囲で広めることができる。
【０１１２】
また、本実施の形態によれば、ナビゲーション装置は、保存した店舗の情報を転送した他の端末が所定の数に達したときに前記店舗の情報を廃棄するので、店舗の情報の広がりを適当に制限できる。
【０１１３】
次に、本発明の第１１の実施の形態について説明する。
【０１１４】
図１１は、本実施の形態の注文システムにおけるアクセスポイント装置の構成を示している。図示のように、本実施の形態のアクセスポイント装置１６０は、図２に示した第１の実施の形態の構成に加えて、店舗のサービス状況を表すサービス状況情報を取得するサービス状況取得部１６２と、このサービス状況情報をアドホックネットワークの端末であるナビゲーション装置１４に提供するサービス状況提供部１６４を備えている。サービス状況取得部１６２およびサービス状況提供部１６４は制御部３６に備えられている。
【０１１５】
本実施の形態では、サービス状況取得部１６２は、送受信部３４を用いて店舗コンピュータ１６からネットワーク２０経由で定期的にサービス状況情報を取得し、取得したサービス状況情報を店舗情報記憶部３０に格納する。サービス状況情報は、提供元の店舗のメニュー情報と関連づけて店舗情報記憶部３０に記憶される。本実施の形態では、サービス状況情報は空席状況の情報である。
【０１１６】
また、サービス状況情報は、待ち状況の情報でもよい。待ち状況の情報は、典型的には、待ち人数または待ち時間である。また、待ち状況の情報は、料理ができるまでの時間でもよく、この情報は料理毎に異なってもよい。
【０１１７】
サービス状況提供部１６４は、サービス状況取得部１６２が店舗情報記憶部３０に格納したサービス状況情報を読み出してナビゲーション装置１４に提供する。サービス状況情報は、メニュー情報の提供時に行われる。前述の実施の形態で説明したように、店舗リストからの店舗の選択を受け付けると、メニュー選択受付処理部４０が店舗情報記憶部３０からメニュー情報を読み出してナビゲーション装置１４に送る。このとき、サービス状況提供部１６４は、店舗情報記憶部３０に記憶された対象店舗のサービス状況情報を読み出して、メニュー情報と共にナビゲーション装置１４に送信する。サービス状況情報はメニュー情報と共に、アドホック送受信部５８を用いてアドホックネットワーク１６経由でナビゲーション装置１４に送られ、ナビゲーション装置１４の出力装置５４から出力される。
【０１１８】
なお、サービス状況情報は、メニュー情報とは別に、ナビゲーション装置１４からの要求を待って提供されてもよい。この場合、例えば、ナビゲーション装置１４にて、メニュー情報と共に、サービス状況情報を要求するか否かがディスプレイ上で運転者に問い合わされる。運転者によるサービス状況情報取得を指示する操作に従い、サービス状況情報の要求がアクセスポイント装置１６０にアドホックネットワーク１６経由で送信される。この要求に応えて、サービス状況情報が店舗情報記憶部３０から読み出され、提供される。
【０１１９】
以上に説明したように、本発明の第１１の実施の形態によれば、アクセスポイント装置１６０が、店舗のサービス状況を表すサービス状況情報を前記メニュー情報と共にアドホックネットワークの端末であるナビゲーション装置１４に提供するように構成したので、店舗のサービス状況もメニューと共に端末を操作する顧客に伝達できる。
【０１２０】
また、本実施の形態によれば、アクセスポイント装置１６０は、サービス状況情報として店舗の空席状況の情報を提供するので、空席状況を顧客に把握してもらうことができる。
【０１２１】
また、本実施の形態によれば、アクセスポイント装置１６０は、サービス状況情報として前記店舗の待ち状況の情報を提供するので、どれくらい待つかの情報を顧客に把握してもらうことができる。
【０１２２】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【０１２３】
以上のように、本発明にかかる注文システムは、移動端末から直接アクセスポイント装置に電波が届かない場合でも注文処理を行うことを可能にし、店舗の周辺からでも顧客が容易に注文可能にできるという効果を有し、飲食店の注文システム等として有用である。
【図面の簡単な説明】
【０１２４】
【図１】本発明の第１の実施の形態における注文システムのブロック図
【図２】本発明の第１の実施の形態の注文システムにおけるアクセスポイント装置のブロック図
【図３】本発明の第１の実施の形態の注文システムにおけるナビゲーション装置のブロック図
【図４】本発明の第１の実施の形態における注文システムの動作を示す図
【図５】本発明の第２の実施の形態における注文システムのブロック図
【図６】本発明の第２の実施の形態の注文システムにおけるアクセスポイント装置のブロック図
【図７】本発明の第３の実施の形態における注文システムのブロック図
【図８】本発明の第４の実施の形態における注文システムのナビゲーション装置のブロック図
【図９】本発明の第４の実施の形態における注文システムのナビゲーション装置の動作を示すフロー図
【図１０】本発明の第５の実施の形態における注文システムのナビゲーション装置のブロック図
【図１１】本発明の第５の実施の形態における注文システムのナビゲーション装置の動作を示すフロー図
【図１２】本発明の第６の実施の形態における注文システムのブロック図
【図１３】本発明の第７の実施の形態における注文システムのブロック図
【図１４】本発明の第７の実施の形態における注文システムの動作を示す図
【図１５】本発明の第８の実施の形態の注文システムにおけるナビゲーション装置のブロック図
【図１６】本発明の第８の実施の形態の注文システムにおけるナビゲーション装置の動作を示す図
【図１７】本発明の第９の実施の形態の注文システムにおけるナビゲーション装置の動作を示す図
【図１８】本発明の第１０の実施の形態の注文システムにおけるナビゲーション装置の動作を示す図
【図１９】本発明の第１１の実施の形態の注文システムにおけるアクセスポイント装置のブロック図
【符号の説明】
【０１２５】
１０  注文システム
１２  アクセスポイント装置
１４  ナビゲーション装置
１６  アドホックネットワーク
１８  店舗コンピュータ
２０  ネットワーク
３０  店舗情報記憶部
３２  アドホック送受信部
３４  送受信部
３６  制御部
３８  店舗選択受付処理部
４０  メニュー選択受付処理部
４２  注文転送部
５０  現在位置検出部
５２  地図データ記憶部
５４  出力装置
５６  入力装置
５８  アドホック送受信部
６０  制御部
【図１】
2005222271.tif 000003
【図２】
2005222271.tif 000004
【図３】
2005222271.tif 000005
【図４】
2005222271.tif 000006
【図５】
2005222271.tif 000007
【図６】
2005222271.tif 000008
【図７】
2005222271.tif 000009
【図８】
2005222271.tif 000010
【図９】
2005222271.tif 000011
【図１０】
2005222271.tif 000012
【図１１】
2005222271.tif 000013
【図１２】
2005222271.tif 000014
【図１３】
2005222271.tif 000015
【図１４】
2005222271.tif 000016
【図１５】
2005222271.tif 000017
【図１６】
2005222271.tif 000018
【図１７】
2005222271.tif 000019
【図１８】
2005222271.tif 000020
【図１９】
2005222271.tif 000021